(57)【要約】【課題】  屋外側から外壁目地の奥に挿入することが可能であり、圧入後においても容易に位置の修正が可能である外壁目地の２次防水部材１を提供する。【解決手段】  外壁目地の２次防水部材１は、外壁目地の屋内側に収納されて、該外壁目地から屋内側に水が浸入することを抑止する外壁目地の２次防水部材１であって、長尺な平板形状の部材で、その片面において長手方向に沿って設けられた１以上の溝部１３を有する平板部材１１と、弾性を有し長尺な一対の部材で、その長辺の一端が前記平板部材１１の両側に沿ってそれぞれ接続され、前記平板部材１１の前記溝部１３が設けられた面側に屈曲する屈曲部１４を有するヒレ部材１２と、を備える。【選択図】図１
2011208393.tif 000002
【特許請求の範囲】
【請求項１】
外壁目地の屋内側に収納されて、該外壁目地から屋内側に水が浸入することを抑止する外壁目地の２次防水部材であって、
長尺な平板形状の部材で、その片面において長手方向に沿って設けられた１以上の溝部を有する平板部材と、
弾性を有し長尺な一対の部材で、その長辺の一端が前記平板部材の両側に沿ってそれぞれ接続され、前記平板部材の前記溝部が設けられた面側に屈曲する屈曲部を有すヒレ部材と、を備えることを特徴とする外壁目地の２次防水部材。
【請求項２】
外壁目地よりもやや幅広に形成された弾性材料からなり、前記外壁目地に挿入されて保持される１次防水部材と、
該１次防水部材より屋内側に設置される２次防水部材と、を備える外壁目地の防水構造であって、
前記２次防水部材は、長尺な平板形状の部材でその屋外側面において長手方向に沿って設けられた１以上の溝部を有する平板部材と、弾性を有し長尺な一対の部材でその長辺の一端が前記平板部材の両側に沿ってそれぞれ接続され、前記平板部材の前記溝部が設けられた面側に屈曲する屈曲部を有すヒレ部材と、を具備し、前記外壁パネルと建物の構造躯体を構成する軸組との間に収納されるバックアップ材に前記平板部材が当接し、且つ前記ヒレ部材が隣接する２つの外壁パネルの端部内側面に圧接することを特徴とする外壁目地の防水構造。
【請求項３】
前記バックアップ材は、建物の構造躯体に前記外壁パネルを取り付ける外壁パネル取付用金具であることを特徴とする請求項２に記載の外壁目地の防水構造。
【請求項４】
長尺で平板形状の部材でありその片面に１以上の溝部が長手方向に沿って設けられた平板部材と、弾性を有し長尺な一対の部材でその長辺の一端が前記平板部材の両側に沿ってそれぞれ接続され、前記平板部材の前記溝部が設けられた面側に屈曲する屈曲部を有すヒレ部材と、を備える２次防水部材を、外壁目地に前記平板部材の前記溝部が設けられている面を屋外側に向けて挿入し、
前記平板部材に設けられた前記溝部に位置ズレ修正工具の先端部を引っ掛けて前記２次防水部材を水平方向に移動させることで前記２次防水部材の水平方向の位置ズレを修正し、
次に、前記外壁目地よりもやや幅広に形成された弾性材料からなる１次防水部材を屋外側から前記外壁目地に挿入しその弾性力によって前記外壁目地内で挟持されて防水することを特徴とする外壁目地の防水構造施工方法。
【発明の詳細な説明】
【技術分野】
【０００１】
本発明は、外壁目地から屋内側に水が侵入することを抑止する外壁目地の２次防水部材、この外壁目地の２次防水部材を用いた外壁目地の防水構造、及びこの外壁目地の防水構造の施工方法に関する。
【背景技術】
【０００２】
従来より、複数の互いに隣接する外壁パネル間に形成される外壁目地から建物内部に風雨などが侵入することを防ぎ、且つ建物の外観を良好に保つために乾式の外壁目地ガスケットが用いられる。この外壁目地ガスケットは、例えばポリ塩化ビニル等の水密性及び弾性を有する材料で形成され、外壁目地の幅よりもやや幅広の長手形状であって、屋外側から外壁目地に挿入して固定するものである。
【０００３】
このような外壁目地ガスケットにおいては、防水性をさらに高めるために、例えば図１０、図１１（Ａ）及び図１１（Ｂ）に示すように、小突起１１１と小突片１１２を備えるハット形ジョイナー１１０と、前記小突片１１２と嵌合する小溝１２３を備える柱片１２２と覆片１２１からなる目地ガスケット１２０と、を具備する外壁目地用ジョイナー１００が提案されている（特許文献１参照）。小突片１１２と小溝１２３は、互いに嵌合するように形成されており、図１１（Ａ）に示すように小溝１２３には粘着材１２４が充填されている。図１０に示すように、ハット形ジョイナー１１０は、サインディングボード１５０と胴縁１４０の間に予め介在させておき、目地ガスケット１２０は外壁目地の屋外側から挿入される。外壁目地に挿入された目地ガスケット１２０の両側に突出しているリブ１２５により外壁目地の防水を図ると共に、小溝１２３は更に押し込まれることによってハット形ジョイナー１１０の小突片１１２と嵌合し、小溝１２３に充填された粘着材１２４が流出し周辺に充満することで図１０に示す粘着材１３０となる。
【０００４】
このように構成することで特許文献１における外壁目地ガスケットは、図１０に示すように、目地ガスケット１２０の防水性による一次防水に加えて、ハット形ジョイナー１１０の小突起１１１がサインディングボード１５０の裏面に当接密着することによって二次防水を行うことができ、より防水効果を高めることができる。
【先行技術文献】
【特許文献】
【０００５】
【特許文献１】実公平０７−４３３３３号公報
【発明の概要】
【発明が解決しようとする課題】
【０００６】
しかし、上述のような外壁目地ガスケットにおいては、ハット形ジョイナー１１０の幅が外壁目地の目地幅よりも広くなるので、ハット形ジョイナー１１０を屋外側から外壁目地の屋内側に挿入することは困難であり、サインディングボード１５０を胴縁１４０に取り付ける前に、若しくは胴縁１４０の取り付けと同時にハット形ジョイナー１１０を取り付ける必要がある。
【０００７】
さらに、ハット形ジョイナー１１０はサインディングボード１５０の裏面に当接密着しているため、取り付け時に水平方向の位置ズレが生じた場合には、取り付け作業後の位置修正が困難であり作業性にも問題があった。
【０００８】
以上の問題点に鑑み、本発明は屋外側から外壁目地の屋内側に容易に挿入することができ、挿入後においても容易に水平方向の位置ズレを修正することができ、さらに高い防水性能を有する外壁目地の２次防水部材、この外壁目地の２次防水部材を用いる外壁目地の防水構造、及びその施工方法を提供することを目的とする。
【課題を解決するための手段】
【０００９】
請求項１に記載の外壁目地の２次防水部材は、外壁目地の屋内側に収納されて該外壁目地から屋内側に水が浸入することを抑止する外壁目地の２次防水部材であって、長尺な平板形状の部材で、その片面において長手方向に沿って設けられた１以上の溝部を有する平板部材と、弾性を有し長尺な一対の部材で、その長辺の一端が前記平板部材の両側に沿ってそれぞれ接続され、前記平板部材の前記溝部が設けられた面側に屈曲する屈曲部を有すヒレ部材と、を備えることを特徴としている。
【００１０】
請求項２に記載の外壁目地の防水構造は、外壁目地よりもやや幅広に形成された弾性材料からなり、前記外壁目地に挿入されて保持される１次防水部材と、該１次防水部材より屋内側に設置される２次防水部材と、を備える外壁目地の防水構造であって、前記２次防水部材は、長尺な平板形状の部材でその屋外側面において長手方向に沿って設けられた１以上の溝部を有する平板部材と、弾性を有し長尺な一対の部材でその長辺の一端が前記平板部材の両側に沿ってそれぞれ接続され、前記平板部材の前記溝部が設けられた面側に屈曲する屈曲部を有するヒレ部材と、を具備し、前記外壁パネルと建物の構造躯体を構成する軸組との間に収納されるバックアップ材に前記平板部材が当接し、且つ前記ヒレ部材が隣接する２つの外壁パネルの端部内側面に圧接することを特徴としている。
【００１１】
請求項３に記載の外壁目地の防水構造は、前記バックアップ材は、建物の構造躯体に前記外壁パネルを取り付ける外壁パネル取付用金具であることを特徴としている。
【００１２】
請求項４に記載の外壁目地の防水構造施工方法は、長尺で平板形状の部材でありその片面に１以上の溝部が長手方向に沿って設けられた平板部材と、弾性を有し長尺な一対の部材でその長辺の一端が前記平板部材の両側に沿ってそれぞれ接続され、前記平板部材の前記溝部が設けられた面側に屈曲する屈曲部を有するヒレ部材と、を備える２次防水部材を、外壁目地に前記平板部材の前記溝部が設けられている面を屋外側に向けて挿入し、前記平板部材に設けられた前記溝部に位置ズレ修正工具の先端部を引っ掛けて前記２次防水部材を水平方向に移動させることで前記２次防水部材の水平方向の位置ズレを修正し、次に、前記外壁目地よりもやや幅広に形成された弾性材料からなる１次防水部材を屋外側から前記外壁目地に挿入しその弾性力によって前記外壁目地内で挟持されて防水することを特徴としている。
【発明の効果】
【００１３】
請求項１に記載の外壁目地の２次防水部材によると、ヒレ部材は弾性を有しているので、目地に挿入する際ヒレ部材は既に屈曲している方向にさらに屈曲し、屋外側から外壁目地の屋内側に容易に挿入することができる。また、ヒレ部材は隣接する２つの外壁パネルの端部内側面に圧接して高い２次防水性能を有する。また、挿入後であっても、平板部材に溝部が形成されているので、この溝部に位置ズレ修正工具の先端部を引っ掛けて、容易に水平方向の位置ズレを修正することができる。
【００１４】
請求項２に記載の外壁目地の防水構造によると、２次防水部材はヒレ部材が弾性を有しているので、目地に挿入する際、ヒレ部材は既に屈曲している方向にさらに屈曲し、屋外側から外壁目地の屋内側に容易に挿入することができる。また、挿入後であっても平板部材に溝部が形成されているので、この溝部に位置ズレ修正工具の先端部を引っ掛けて、容易に２次防水部材の水平方向の位置ズレを修正することができる。さらに、平板部材が外壁パネルと建物の構造躯体を構成する軸組との間に収納されるバックアップ材に当接することで２次防水部材の屋内側への移動が規制されるので、ヒレ部材は弾性変形した状態で外壁パネルの端部内側面に高い圧力で圧接する。これにより外壁パネルの端部内側面とヒレ部材は密着し水を通さず高い防水効果を得ることができる。
【００１５】
請求項３に記載の外壁目地の防水構造によると、建物の構造躯体に外壁パネルを取り付ける外壁パネル取付用金具をバックアップ材として用いるので別途バックアップ材を用意する必要が無く経済的であり、施工における手間が省けるという利点がある。また、従来であれば２次防水部材は外壁パネル取付用金具と外壁パネルの屋内側面の狭い収容空間を取り合っていたが、収容空間の狭さを逆に利用しヒレ部材を弾性変形させることで、高い圧接圧力を確保し優れた防水効果を得ることができる。
【００１６】
請求項４に記載の外壁目地の防水構造施工方法によると、２次防水部材における平板部材の溝部が設けられている面を屋外側にして２次防水部材を挿入し、挿入後、屋外側から位置ズレ修正工具の先端部を平板部材に設けられた溝部に引っ掛けて操作することで２次防水部材の水平方向の位置ズレを修正でき、作業性が向上する。
【図面の簡単な説明】
【００１７】
【図１】外壁目地の防水構造の全体構成を説明する外壁目地の水平断面図。
【図２】外壁目地の２次防水部材の一部省略斜視図。
【図３】外壁目地の２次防水部材の断面形状を説明する断面図。
【図４】外壁目地の１次防水部材の一部省略斜視図。
【図５】外壁目地に２次防水部材を挿入する工程を説明する一部省略断面図。
【図６】外壁目地に２次防水部材を挿入した状態を説明する一部省略断面図。
【図７】２次防水部材におけるヒレ部材の位置を修正する工程を説明する一部省略断面図。
【図８】２次防水部材におけるヒレ部材の位置を修正した状態を説明する一部省略断面図。
【図９】位置ズレ修正工具を用いて２次防水部材の水平方向の位置を修正する工程を説明する一部省略断面図。
【図１０】従来の外壁目地の防水に用いられる外壁目地ガスケットの一例を示す図。
【図１１】図１０で示した外壁目地ガスケットのハット型ジョイナーと目地ガスケットを示す図。
【図１２】外壁パネル取付用金具を用いて、軸組に外壁パネルを固定する工程を説明する一部省略断面図。
【発明を実施するための形態】
【００１８】
以下、外壁目地の２次防水部材１、外壁目地の防水構造、及び外壁目地の防水構造施工方法の最良の実施形態について、各図を参照しつつ説明する。外壁目地の２次防水部材１及びこの２次防水部材１を用いる外壁目地の防水構造が用いられる外壁は、外壁パネル３が軸組４に外壁パネル取付用金具５を用いて固定されることで形成される。ここで軸組４とは、建物の構造躯体を構成するものである。
【００１９】
次に、本実施形態の外壁目地の２次防水部材１について説明する。図２及び図３で示されるように、本実施形態の２次防水部材１は、長尺な平板形状の部材で、その片面において長手方向に沿って設けられた１以上の溝部１３を有する平板部材１１と、弾性を有し長尺な一対の部材で、その長辺の一端が前記平板部材１１の両側に沿ってそれぞれ接続され、前記平板部材１１の前記溝部１３が設けられた面側に屈曲する屈曲部１４を有するヒレ部材１２と、を備えるものである。本実施形態においては、図３で示されるように、左右のヒレ部材１２は、溝部１３が設けられた面側に傾くように、平板部材１１に接続されている。このように構成することで、幅の小さいヒレ部材１２でも、図１で示される外壁パネル３の端部内側面３２に圧接させることができる。また、平板部材１１の溝部１３が設けられていない面から設けられている面に向かう方向を上方とすれば、図３で示されるように、左右のヒレ部材１２の平板部材１１と接続されていない長辺の他端である縁部１５は、平板部材１１とヒレ部材１２との接合部分の上方あたりに位置する。更に、左右のヒレ部材１２間の幅は屈曲部１４の位置において最大幅Ｗ１となる。この最大幅Ｗ１は平板部材１１の幅より大きく、さらに外壁目地の目地幅Ｗ２よりも若干大きいことが好ましい（図３、図５参照）。２次防水部材１を外壁目地から挿入し屈曲部１４が外壁目地内を通過する時に、外壁目地内の側壁と圧接して、２次防水部材１の位置を保持しながら挿入することができるからである。尚、図２及び図３においては、溝部１３が５本設けられているが、これに限定されず、溝部１３は１本以上であれば何本であっても良い。
【００２０】
ここで、２次防水部材１の最適な各形状及び材質について例示する。外壁目地の目地幅Ｗ２が１１ｍｍ程度である場合、ここへ容易に挿入できるように、平板部材１１の幅は、７ｍｍ程度が好適である。また、外壁パネル取付用金具５は、外壁目地の屋内側において縦方向に所定の取付間隔を空けて設けられている。通常は１枚の外壁パネル３について４個前後である。そして、この外壁パネル取付用金具５を２次防水部材１のバックアップ材として用いる場合、この外壁パネル取付用金具５で、外壁目地の屋外側から押し込まれる２次防水部材１が屋内側に移動しないように規制することになる。したがって、その裏面がこの外壁パネル取付用金具５に当接する平板部材１１は、外壁パネル取付用金具５が存在しない場所において弓なりに変形して屋内側に移動しないようにするため、弾性変形しない硬質の材料、若しくは弾性率の高い硬質の材料により形成されることが好ましい。また、屈曲部１４における左右のヒレ部材１２間の最大幅Ｗ１は、上述のように外壁目地の目地幅Ｗ２より若干大きいことが好ましいので、目地幅Ｗ２が１１ｍｍであれば、１５ｍｍ程度が好適である（図３、図５参照）。さらに、平板部材１１の溝部１３が設けられていない面を基準面とした場合において、該基準面に対する縁部１５の高さＨ１は、外壁パネル３の端部内側面３２と、バックアップ材の最も屋外側にある面、すなわち本実施形態においては外壁パネル取付用金具５における操作部５３の屋外側面との距離Ｈ２（以下、「収納空間距離」という。）より長いほうが好ましい（図３、図５参照）。縁部１５の高さＨ１が該収納空間距離Ｈ２より長い方が、外壁パネル３の端部内側面３２との圧接圧力が大きくなるからである。例えば、該収納空間距離Ｈ２が４ｍｍ程度であれば、縁部１５の高さＨ１は５．８ｍｍ程度が好適である。
【００２１】
次に、本実施形態の外壁目地の防水構造について説明する。図１で示されるように、本実施形態の外壁目地の防水構造は、隣接する外壁パネル３間の外壁目地に収容される１次防水部材２と、該１次防水部材２より屋内側に設置される前記２次防水部材１とを備えるものである。この２次防水部材１は、屋外側から外壁目地に挿入され図１で示されるように、外壁パネル取付用金具５の操作部５３に当接する位置に収容される。また、１次防水部材２は図１で示されるように、２次防水部材１より屋外側における外壁目地内に収容される。また、２次防水部材１は平板部材１１の溝部１３が設けられる面を屋外側に向けて収容される。したがって、平板部材１１の溝部１３が設けられない面が、前記操作部５３に当接することになる。これにより、２次防水部材１の屋内側への移動が規制され、収容される空間の狭さを逆に利用しヒレ部材１２を弾性変形させることで、高い圧力でヒレ部材１２の縁部１５が外壁パネル３の端部内側面３２に密着し、高い防水性能を得ることができる。また、このように配置することで、平板部材１１の溝部１３が設けられている面が屋外側へ向くので、２次防水部材１の挿入後１次防水部材２の挿入前に、屋外側から外壁目地に位置ズレ修正工具９を挿入しその先端部を溝部１３に引っ掛けて、２次防水部材１を水平方向に移動させることができる。これにより、仮に外壁目地の中心軸と２次防水部材１との中心軸にズレがあったとしてもこれを修正することができる。
【００２２】
１次防水部材２は、例えばポリ塩化ビニル等の水密性及び弾性を有する材料で形成され、図４で示すように長手形状であり、左右に目地幅より幅広のリブ２１が形成されている。先端には凸条２２が形成されており、この凸条２２側から外壁目地に押し込んで挿入される。この時、リブ２１は屋外側に向けて反るように弾性変形しているので、この弾性力によって外壁目地内で挟持され、且つ、外壁目地内の両壁に密着することで防水機能を発揮する。
【００２３】
上述の例では外壁パネル取付用金具５をバックアップ材として、平板部材１１の溝部１３が設けられない面を外壁パネル取付用金具５の操作部５３に当接するように２次防水部材１を配置したが、本願発明の外壁目地の防水構造はこれに限定されず、例えば、図示しないが隙間埋め材等の別の部材をバックアップ材として用いても良い。
【００２４】
次に、本実施形態の防水構造施工方法について説明する。まず、外壁パネル取付用金具５により軸組４に外壁パネル３が取付けられた状態において、外壁目地の隙間から２次防水部材１を挿入する。２次防水部材１は挿入時において、弾性変形するヒレ部材１２が図５で示すように屋外側に折れ曲がり外壁目地の隙間を通過することができる。そして、外壁目地を通り抜けた２次防水部材１は、外壁パネル取付用金具５の最も屋外側に突出している操作部５３に、平板部材１１の溝１３が設けられていない面が当接するまで挿入される。この時、、図５に示すように、２次防水部材１を押し込むために長尺な工具７を用いると好適である。
【００２５】
尚、前記工具７は図５に示される形状に限定されるものではなく、外壁目地の隙間に挿入できる程度の幅であり、且つ２次防水部材１をバックアップ材に当接するまで挿入できる程度の長さであれば如何なる形状、構成であっても良く、例えば既存のドライバー等の工具を用いても良い。
【００２６】
上記の２次防水部材１を挿入する工程が完了すると、次に、左右のヒレ部材１２の位置を修正する。挿入された２次防水部材１は図６のように、ヒレ部材１２の縁部１５が屋外側からみて外壁目地の内部に突出している状態である。この状態においては、ヒレ部材１２の屈曲部１４と縁部１５との中間位置付近が外壁パネル３の端部内側面３２と接触している。この状態でもある程度の圧力で接触しており、一定の防水性能を得ることはできるが、ヒレ部材１２をより高い圧力で外壁パネル３の端部内側面３２と密着させて防水性能を高めるために、左右のヒレ部材１２を外壁パネル３の端部内側面３２に押し込む。具体的には図７で示すように、工具８を用いてヒレ部材１２の屈曲部１４を外壁パネル３の端部内側面３２に隠れるように押し込み、ヒレ部材１２の縁部１５が外壁パネル３の端部内側面３２と接触するように修正する。この工具８は、図７で示すように、外壁目地内で動かせる程度の幅で、且つ部材として強度を有するものであれば如何なるものであっても良く、例えば既存のドライバー等の工具でも良い。また、上記の工具７と同じものであっても良く、この場合には部材として強度のある薄板状のものが最適である。
【００２７】
上述のようにヒレ部材１２の位置を修正した後の状態を図８に示す。このようにすることで、ヒレ部材１２の縁部１５は高い圧力で外壁パネル３の端部内側面３２と密着し、優れた２次防水性能を有する外壁目地の防水構造を構成することができる。
【００２８】
尚、上記のヒレ部材１２の位置を修正する前の状態、すなわち図６で示されるようにヒレ部材１２の屈曲部１４と縁部１５との中間位置あたりが外壁パネル３の端部内側面３２と接触している状態であっても、ある程度の防水性能を有することから、本願発明における外壁目地の防水構造施工方法においては、上述のヒレ部材１２の位置を修正する工程は必ずしも必要ではない。しかしながら、より高い防水性能を得るためには、かかる工程を行うことが好ましい。
【００２９】
上記のヒレ部材１２の位置を修正する工程が完了すると、次に、２次防水部材１の水平方向の位置ズレを修正する。図９に示すように、位置ズレ修正工具９を外壁目地に挿入して、平板部材１１に設けられた溝部１３に位置ズレ修正工具９の先端部を引っ掛けて、外壁目地の屋外側から位置ズレ修正工具９を操作することにより２次防水部材１を水平方向に移動させる。この位置ズレ修正工具９は、外壁目地内で動かせる程度の幅であり、部材として強度を有し、更にその先端部が溝部１３に引っ掛かる形状のものであれば如何なるものであっても良く、例えば既存のドライバー等の工具を用いても良い。また、工具７及び工具８と同じものであっても良く、この場合は部材として強度のある薄板状のものが最適である。
【００３０】
上述のような位置ズレ修正工具９を用いて２次防水部材１の中心軸と外壁目地の中心軸との水平方向における位置ズレを修正する。尚、図９においては、外壁目地の屋外側の角を用いてテコの原理で２次防水部材１を移動させているが、本願発明はこれに限定されるものではない。また、図９においては、平板部材１１に５本の溝部１３が設けられているので、施工者が位置ズレ修正工具９を外壁目地に挿入したときに、引っ掛け易い溝を適宜選んで操作すれば良い。
【００３１】
次に、１次防水部材２を屋外側から外壁目地に挿入する。１次防水部材２は既に図４で示したように、ポリ塩化ビニル等の水密性及び弾性を有する材料で形成され、長手形状であり左右に目地幅より幅広のリブ２１が形成され、先端に凸条２２が形成されている。凸条２２が設けられている側から外壁目地に挿入されると、リブ２１が屋外側に向けて反るように弾性変形しその弾性力によって外壁目地内で挟持される。この１次防水部材２は、図１に示されるように、２次防水部材１より屋外側に収容される。
【００３２】
次に、外壁パネル３、及び外壁パネル３の取り付け手順を説明する。外壁パネル３は矩形平板形状に形成された例えば樹脂系、セメント系、セラミック形、又は金属系のサインディング材である。図１２に示されるように、この外壁パネル３は互いが隣接する端部の屋内側に、この外壁パネル３を軸組４に固定するための断面Ｃ型の金属枠３１が外壁目地方向に開口して取り付けられている。外壁パネル取付用金具５は、軸組４から屋外方向に突出する基部５１と、外壁パネル３の金属枠３１を軸組４との間に挟持するパネル固定部５２と、このパネル固定部５２を回転動作させる操作部５３と、隣接する軸組４の隙間に挿入される固定軸５４と、外壁パネル取付用金具５を軸組４に固定する止め具５５と、を備える。止め具５５は固定軸５４の先端に設けられる棒状の部材であり、固定軸５４と垂直な面において回転自在に取り付けられている。また、外壁パネル取付用金具５は基部５１を回転させることで基部５１と止め具５５との距離が伸縮自在となるように構成されている。このような外壁パネル取付用金具５を、軸組４が施工された後に、固定軸５４の止め具５５が設けられている側から隣接する軸組４の隙間に挿入する。挿入後、止め具５５を回転させて軸組４の屋内側面に当接させ、その後基部５１を回転させて止め具５５を軸組４の屋内側面に圧接させることで軸組４に外壁パネル取付用金具５を固定する。外壁パネル３を取り付ける際には、軸組４に外壁パネル３の金属枠３１を押し当てて、外壁パネル取付用金具５の操作部５３を操作してパネル固定部５２を回転させ、パネル固定部５２と軸組４とで外壁パネル３の金属枠３１を挟持して固定する。このとき、操作部５３は隣接する外壁パネル３間の外壁目地の奥に位置するように構成されている。したがって、屋外側から外壁目地内にドライバーなどの工具を挿入しつつ操作することにより、外壁パネル３を屋外側から取り付けることができ、また、リフォームなどの際にも外壁パネル３を屋外側から取り外すことができる。本実施形態の外壁目地の２次防水部材１、外壁目地の防水構造、及び外壁目地の防水構造施工方法は、上記のような隣接する外壁パネル３間の外壁目地に配置、構成及び施工され、外壁目地を通過して建物の屋内側に雨水等が浸入することを防止する。尚、本願発明における外壁パネル取付方法、及び外壁パネル取付用金具は上述の構成に限定されるものではなく、如何なる構成であっても良い。
【００３３】
以上のように、本願発明に係る外壁目地の２次防水部材１、外壁目地の２次防水構造、及び外壁目地の２次防水構造施工方法によれば、外壁パネル３を取り付けた後に２次防水部材１を施工し、仮に水平方向の位置ズレが生じた場合であっても、屋外側から容易に位置ズレの修正ができる。
【００３４】
尚、本願発明の実施の形態は上記の形態に限ることなく、本願発明の思想の範囲を逸脱しない範囲で適宜変更することができることは云うまでもない。
【産業上の利用可能性】
【００３５】
本願発明に係る外壁目地の２次防水部材１、外壁目地の防水構造、及び外壁目地の防水構造施工方法を用いると、外壁の外壁目地をより確実に防水することができる外壁目地の２次防水部材１、外壁目地の防水構造、及び外壁目地の防水構造施工方法として好適に用いることができる。
【符号の説明】
【００３６】
１          ２次防水部材
２          １次防水部材
３          外壁パネル
５          外壁パネル取付用金具（バックアップ材）
９          位置ズレ修正工具
１１        平板部材
１２        ヒレ部材
１３        溝部
【図１】
2011208393.tif 000003
【図２】
2011208393.tif 000004
【図３】
2011208393.tif 000005
【図４】
2011208393.tif 000006
【図５】
2011208393.tif 000007
【図６】
2011208393.tif 000008
【図７】
2011208393.tif 000009
【図８】
2011208393.tif 000010
【図９】
2011208393.tif 000011
【図１０】
2011208393.tif 000012
【図１１】
2011208393.tif 000013
【図１２】
2011208393.tif 000014